(57)【特許請求の範囲】
【請求項１】
移動通信システムで付加チャネルを設定するシステムにおいて、
トラフィックバーストが存在する時に、トラフィックバーストに必要な資源に対するバースト要求メッセージを、対象基地局に伝送するように構成されるソース基地局と、
バースト要求メッセージを受信して、バースト応答メッセージをソース基地局に伝送するように構成される対象基地局と
を含み、
前記バースト要求メッセージは、トラフィックバーストの期間と開始時刻を示すバーストタイミング情報を含み、
前記バースト応答メッセージは、トラフィックバーストに委任された通信応答に対する情報を含み、
前記バーストタイミング情報は、順方向バーストタイミング情報と逆方向バーストタイミング情報とを含むことを特徴とするシステム。
【請求項２】
前記バースト要求メッセージは、物理チャネル形態が指定される情報フィールドを含み、前記物理チャネル形態は、ＩＳ−９５規格の物理チャネルとＣＤＭＡ−２０００規格の物理チャネルとを区別するように指定されることを特徴とする請求項１記載のシステム。
【請求項３】
前記物理チャネル形態は、ＩＳ−９５規格の基本チャネルと付加チャネルの内の少なくとも一つ、そして、ＣＤＭＡ−２０００規格の基本チャネルと専用制御チャネルと付加チャネルの内の少なくとも一つを指定するのに使用されることを特徴とする請求項２記載のシステム。
【請求項４】
前記バーストタイミング情報は、
順方向の物理チャネルが割り当てられる時点のシステム時間と、
逆方向の物理チャネルが割り当てられる時点のシステム時間と、
順方向物理チャネルの割り当て期間と、
逆方向物理チャネルの割り当て期間と
を含むことを特徴とする請求項１記載のシステム。
【請求項５】
前記バーストタイミング情報は、追加的に、
逆方向付加チャネル上で伝送を始める時点におけるプリアンブルフレームの個数である開始プリアンブル(begin preamble)と、
逆方向付加チャネル上で伝送を再開する時点におけるプリアンブルフレームの個数である再開プリアンブル(resume preamble)と、
逆方向付加チャネル上での割り当ての期間に再伝送が行われる前に、移動局が逆方向付加チャネルの伝送を中止する逆方向バーストＤＴＸ期間と
を含むことを特徴とする請求項４記載の方法。
【請求項６】
前記物理チャネルは、付加チャネルまたは付加コードチャネルの内の一つであることを特徴とする請求項２記載の方法。
【発明の詳細な説明】
【０００１】
【発明の属する技術分野】
本発明は、移動通信システムの基地局システム(Base Station)でバーストタイミング(burst timing)を提供するための方法に関し、特に、基地局システムでの高速大容量データの伝送のために使用される付加チャネル(supplemental channel: 以下、ＳＣＨ)と付加コードチャネル(supplemental code channel: 以下、ＳＣＣＨ)とのチャネル使用時間に対して、不連続伝送(discontinuous transmission: 以下、ＤＴＸ)モードを考慮した順方向及び逆方向のバーストタイミングを提供するための方法に関する。
【０００２】
具体的に、本発明は、高速データの処理ができる無線チャネル環境下の移動通信システムで、物理チャネルの使用時間と、データの開始／終了時間と、に対して定義できるバーストタイミングを提供する方法と、基地局(base station transceiver system: 以下、ＢＴＳ)間の高速データ伝送のためのＡＡＬ５プロトコルを基地局と制御局(base station controller: 以下、ＢＳＣ)によって支援できる方法と、に関する。
【０００３】
【従来の技術】
典型的な符号分割多重接続(Code Division Multiple Access: 以下、ＣＤＭＡ)方式の移動通信システムは、音声サービスを主に提供してきたが、今は高速データの伝送もできるＩＭＴ−２０００(International Mobile Telecommunications-2000)規格まで発展してきた。前記ＩＭＴ−２０００規格の移動通信システムでは、高品質の音声、動画像、インターネット検索などのサービスができる。   前記ＣＤＭＡ移動通信システムは、ＢＴＳとＢＳＣとを備える基地局システムと、交換機(Mobile Switching Center: 以下、ＭＳＣ)と、移動局(Mobile Station: 以下、ＭＳ)と、から構成される。前記ＭＳとＢＴＳとの間に存在する無線通信リンクは、ＢＴＳからＭＳに向かう順方向通信リンクと、ＭＳからＢＴＳに向かう逆方向通信リンクと、に区別される。
【０００４】
全てのチャネルは、物理チャネル(Physical Channel)と、論理チャネル (Logical Channel)と、に分けられる。前記論理チャネルは、物理チャネル上に設定されて、１つの物理チャネルに複数の論理チャネルを設定することができる。もし、物理チャネルの設定が解除されると、この物理チャネルに設定されていた論理チャネルは自動的に解除される。新しい論理チャネルを設定するために必ず物理チャネルを設定する必要があるわけではない。設定しようとする論理チャネルに必要な物理チャネルが、既に他の論理チャネルのために設定されている場合は、既設定された物理チャネルに新しい論理チャネルを割り当てる動作だけで良い。
【０００５】
前記物理チャネルは、前記特性によって専用チャネル(Dedicated Channel)と、共通チャネル(Common Channel)と、に分けられる。前記専用チャネルは、ＢＴＳとＭＳとの通信のために専用に使用するチャネルで、基本チャネル(Fundamental Channel: 以下、ＦＣＨ)と、専用制御チャネル(Dedicated Control Channel: 以下、ＤＣＣＨ)と、付加チャネル(Supplemental Channel: 以下、ＳＣＨ)と、に分けられる。前記ＦＣＨは、音声信号(Voice Signal)と、データ信号(Data Signal)と、制御信号(Signaling Signal)と、を伝送するに使用され、ＴＩＡ／ＥＩＡ−９５−Ｂと互換できる。前記共通チャネルは、ＢＴＳと多数のＭＳが共通で使用するチャネルである。ＢＴＳからＭＳに伝送される順方向物理チャネルを呼出チャネル(Paging Channel)と言い、ＭＳからＢＴＳに伝送される逆方向物理チャネルを接近チャネル(Access Channel)と言う。これらの共通チャネルはＩＳ−９５−Ｂと互換できる。
【０００６】
前記移動通信システムにおけるデータ通信の特性は、データの伝送が瞬間集中的に行われて、相対的にデータの伝送が行わない状態が長く持続される休止状態が頻繁に発生することにある。従って、次世代の移動通信システでは、データが伝送される時のみに専用チャネルを割り当てる方式、つまり、ＤＴＸモードが考慮されている。
前記ＤＴＸモードは、有線システムまたは移動通信システムに伝送するデータが存在する時のみにフレームデータを伝送する。つまり、前記ＤＴＸモードで、伝送するデータが既設定された時間の内に存在しない場合はデータを伝送しない。前記ＤＴＸモードを使用する場合は、送信電力の最小化が達成でき、システムに及ぼす干渉信号の強度が減少するので、全体システムの容量が増加できるという利点がある。
【０００７】
前記ＤＴＸモードは、ＤＣＣＨとＳＣＨ上で支援される。前記ＤＣＣＨは、パケットサービスを効率的に提供するための制御チャネルとして使用される。前記ＤＴＸモードでは、電力制御のためにＤＣＣＨを通して無効フレームを伝送し、ＳＣＨを通しては何のデータも伝送しない。前記ＤＴＸモードは、制限された無線資源、基地局の容量、ＭＳの電力消耗などを考慮して、実際データが伝送される時間のみに専用トラフィックチャネル(Traffic Channel)と制御チャネル(Control Channel)を連結し、データが伝送されない時間の間には、前記専用トラフィックチャネルと制御チャネルを解除する。前記専用チャネルが解除された間には共通チャネルだけを通して通信をするので、無線資源の利用効率が高くなる。前記ＤＴＸモードのためには、チャネルの割り当ての状況や状態情報などの有無によって多様な状態が必要である。
【０００８】
図１は、通常的なパケットサービスのための移動通信システムの状態遷移図である。
図１を参照すると、パケットサービスは、データ伝送状態(Active State) １１と、制御維持状態(Control Hold State)１２と、待機状態(Suspended  State)１３と、休止状態(Dormant State)１４と、パケット無効状態(Packet Null State)１５と、初期化状態(Initialization State)１０と、から構成される。前記の中で前記制御維持状態１２と、前記データ伝送状態１１と、前記待機状態１３と、ではサービスオプションが連結されている。また、本発明は、前記データ伝送状態１１と前記制御維持状態１２とで、ＳＣＨとＤＣＣＨとにおけるＤＴＸモードを支援するための基地局システムに関連することを確かめておく。
【０００９】
図２は、通常的な移動通信システムのＭＳＣと基地局システム、基地局システムと基地局システムとの間のディジタルエアインターフェース(Digital Air Interface)に対する３Ｇ ＩＯＳ(Interoperability Specifications)の参照モデル(Reference Model)を示した図である。
図２を参照すると、ＭＳＣ２０とＢＳＣ３２との間の信号伝送用としてはＡ１インターフェースが、使用者情報伝送用としてはＡ２／Ａ５(回線データ専用)インターフェースが定義されている。Ａ３インターフェースは、基地局システムと基地局システムとの間のソフト／ソフタハンドオフ(soft/softer handoff)のために、対象基地局システム(Target BS)４０をソース基地局システム(Source BS)３０のフレーム選択／分配機能部(Frame Selection/Distribution Function Unit: ＳＤＵ)３４に連結するために定義されたもので、前記Ａ３インターフェースを介して、対象基地局システム４０とソース基地局システム３０のＳＤＵ３４との間の信号(signaling)及び使用者データ(user traffic)が伝送される。Ａ７インターフェースは、基地局システムと基地局システムとの間のソフト／ソフタハンドオフのために、対象基地局システム４０とソース基地局システム３０との間の信号の送受信用で定義されている。基地局システム３０と基地局システム４０との間、基地局システム３０とＭＳＣ２０との間の有線通信リンクは、ＭＳＣ２０から基地局システム３０に向かう順方向リンクと、逆に基地局システム３０からＭＳＣ２０に向かう逆方向リンクと、基地局システム３０と基地局システム４０との間のリンクと、から構成される。前記ＭＳＣ２０は、呼制御(Call Control)及び移動管理(Mobility Management)ブロック２２と、スイッチ２４と、を含む。また、前記ＭＳＣ２０は、インターワーキング機能(Inter Working Function: ＩＷＦ)ブロック５０を通してインターネットのようなデータ網(図示せず)に接続される。
【００１０】
図３は、従来技術によるソース基地局と対象基地局との間にＳＣＨを設定する手順を示した図である。前記手順は、外部のパケットデータ処理ノード(Packet Data Serving Node: 以下、ＰＤＳＮ)から高速大容量のデータを受信するか、または、ＭＳからの発信によるＳＣＨの割り当てのよってデータを伝送しようとする時に、ソース基地局と対象基地局との間にＳＣＨを設定する手順である。
【００１１】
図３を参照すると、３ａ段階でソース基地局システム３０は、ＭＳからＭＳに、または、ＰＤＳＮからＭＳに送受信される発／着信データをＭＳか持つことを認知する。それから、３ｂ段階でソース基地局システム３０は、サービスインスタンス(instance)の支援中に要求されるトラフィックバーストを決定し、前記決定されたトラフィックバーストを支援する対象基地局システム４０を選択して、必要な資源の予約を要求するバースト要求メッセージ(A7-Burst Request msg.)を前記対象基地局システム４０に伝送する。３ｃ段階で前記対象基地局システム４０は、要求された資源の全部または一部が予約できるかを検討し、前記トラフィックバーストに委任された資源に関する情報を含むバースト応答メッセージ(A7-Burst Response msg.)を前記ソース基地局システム３０に伝送する。ここで、ソース基地局システム３０は、前記バースト要求メッセージを伝送した後、第１設定時間(Tbstrq)の内に前記バースト応答メッセージ(Burst Response msg.)の受信を待機する。前記第１定時間の内に前記バースト応答メッセージが受信されると、３ｄ段階で前記ソース基地局システム３０は、バースト応答メッセージ(A7-Burst Response msg.)の情報に基づいてフレームセレクターの集合(set)を準備し、実際使用する委任された資源の集合を示すバースト動作メッセージ(A7-Burst Activate msg.)を対象基地局システム４０に伝送する。ここで、対象基地局システム４０は、前記バースト応答メッセージを伝送した後、第２設定時間(Tbstcom)の内にバースト動作メッセージの受信を待機する。前記第２設定時間の内に前記バースト動作メッセージが受信されると、３ｅ段階で、対象基地局システム４０は、指定されたフレームセレクターにトラフィックバーストのために使用される全てのセル資源を連結する連結メッセージ(A3-connect msg.)をソース基地局システム３０に伝送する。３ｆ段階でソース基地局システム３０は、トラフィックバーストを支援するための物理チャネルの準備が完了したという連結アクノリッジメントメッセージ(A3-Connect Ack mag.)を対象基地局システム４０に伝送する。ここで、前記対象基地局システム４０は前記連結アクノリッジメントメッセージ(Connect Ack mag.)を伝送した後、第３設定時間(Tconn3)の内に前記連結アクノリッジメントメッセージの受信を待機する。前記第３設定時間の内に前記連結アクノリッジメントメッセージが受信されると、３ｇ段階で対象基地局システム４０は、バースト動作アクノリッジメントメッセージ(A7-Burst Activate Ack msg.)をソース基地局システム３０に伝送する。ここで、前記ソース基地局システム３０は、３ｄ段階でバースト動作メッセージを伝送した後、第４設定時間(Tbstact)の内に前記バースト動作アクノリッジメントメッセージの受信を待機する。前記第４設定時間の内に前記バースト動作アクノリッジメントメッセージが受信されると、３ｈ段階で前記ソース基地局システム３０は、スキャンメッセージ(SCAM msg.)を通してＭＳにトラフィックバーストの準備を命令する。そうすると、３ｉ段階で、前期ＭＳは、前記スキャンメッセージに対する応答(Response)として階層２アクノリッジメントメッセージ(Layer 2 Ack msg.)をソース基地局システム３０に伝送する。３ｊ段階でネットワークとＭＳは、順方向または逆方向トラフィックバースト情報を、既設定された期間の内に、あるいは、ソース基地局システム３０がトラフィックバーストを拡張するか終えるまでに交換する。タイマＴｂｓｒｅｑ(予め設定された時間)が終了すると、前記ソース基地局システムはＡ７バースト要求メッセージを再伝送するように選択することができる。タイマＴｂｓｔａｃｔが終了すると、前記ソース基地局システムは、このメッセージを再伝送するか、トラフィックバースト準備を完了するか、または、ＭＳＣが呼結合体を消去するように要求するか、を選択することができる。タイマＴｂｓｔｃｏｍが終了すると、対象基地局システムはこのメッセージに含まれたセルに対する全ての無線資源の委任を破棄する。タイマＴｃｏｎｎ３が終了すると、前記基地局システムはＡ７−バースト応答メッセージの中で委任されていないセルのリストにＡ３−連結メッセージによって追加された全ての新しいセルを含むことができる。
【００１２】
３ｂ段階でのバースト要求メッセージの構成は＜表１＞のようである。前記バースト要求メッセージは、ソース基地局システムが対象基地局システムに、データトラフィックバーストが支援できるように資源の予約を要求するＡ７インターフェースメッセージである。【表１】
0003734422.tif 000002
【００１３】
＜表１＞を参照すると、前記バースト要求メッセージフィールドは下記のような情報を提供する。
１．Ｃａｌｌ Ｃｏｎｎｅｃｔｉｏｎ Ｒｅｆｅｒｅｎｃｅ: 呼接続に対してシステム全体で唯一に使われる識別者。
２．Ｂａｎｄ Ｃｌａｓｓ: 周波数帯域。
３．Ｄｏｗｎ Ｒａｄｉｏ Ｅｎｖｉｒｏｎｍｅｎｔ: ＭＳによって提供される信号強度の測定値。
４．ＣＤＭＡ Ｓｅｒｖｉｎｇ Ｏｎｅ Ｗａｙ Ｄｅｌａｙ: ＭＳでＲＥＦ＿ＰＮに関連したセルに関する単方向遅延の推定値。
５．Ｐｒｉｖａｃｙ Ｉｎｆｏ: ＣＤＭＡ Ｌｏｎｇ Ｃｏｄｅ Ｍａｓｋ(公衆用、個人用)情報。
６．Ａ３ Ｓｉｇｎａｌｉｎｇ Ａｄｄｒｅｓｓ: 呼のために使用しているＳＤＵインスタンス(instance)が含まれているネットワークノード。
７．Ｃｏｒｒｅｌａｔｉｏｎ ＩＤ: 要求メッセージと応答(Response)メッセージとを相関させる要素。
８．ＳＤＵ ＩＤ: １つのＳＤＵノードの中にある特別なＳＤＵインスタンス識別者。
９．Ｍｏｂｉｌｅ Ｉｄｅｎｔｉｆｙ(ＥＳＮ): ＭＳの電子シリアルナンバー(ESN)。
１０．Ｆｒａｍｅ Ｓｅｌｅｃｔｏｒ Ｉｎｆｏ: １つの呼結合体のために使用されるフレームセレクターの集合。１つの呼結合体に新しいフレームセレクターを追加するか、既に存在している呼結合体のフレームセレクターの性質を改める時に使用される。
１１．Ａ７ Ｃｅｌｌ Ｉｎｆｏ: 呼結合体のために特別な物理チャネルが追加されるセルの集合に関する情報。
１２．Ｂｕｒｓｔ Ｔｉｍｉｎｇ: 物理チャネルの集合上でデータバーストの期間と開始時間を示す要素。
【００１４】
３ｃ段階でのバースト応答メッセージの構成は＜表２＞のようである。前記バースト応答メッセージは、ソース基地局システムが対象基地局システムにデータトラフィックバーストの支援ができるように資源の予約を要求するバースト要求メッセージ(A7-Burst Request msg.)に対する応答(Response)であって、Ａ７インターフェースメッセージである。
【表２】
0003734422.tif 000003
【００１５】
１．Ｃａｌｌ Ｃｏｎｎｅｃｔｉｏｎ Ｒｅｆｅｒｅｎｃｅ: 呼接続に対してシステム全体で唯一に使われる識別者。
２．Ｃｏｒｒｅｌａｔｉｏｎ ＩＤ: 要求メッセージと応答(Response)メッセージとを相関させる要素。
３．Ａ７ Ｃｏｍｍｉｔｅｄ Ｃｅｌｌ Ｉｎｆｏ: １つの呼結合体のための特別な物理チャネルに対象基地局システムが委任したセルの集合に関する情報。
４．Ａ７ Ｕｎｃｏｍｍｉｔｅｄ Ｃｅｌｌ Ｉｎｆｏ: １つの呼結合体のための特別な物理チャネルに対象基地局システムが委任しなかったセルの集合に関する情報。
３ｄ段階でのバースト動作メッセージ(A7-Burst Active msg.)は＜表３＞のようである。前記バースト動作メッセージは、ソース基地局システムがデータトラフィックバーストの支援用として予約された資源の集合を委任するために対象基地局システムに伝送するＡ７インターフェースメッセージである。
【表３】
0003734422.tif 000004
【００１６】
１．Ｃａｌｌ Ｃｏｎｎｅｃｔｉｏｎ Ｒｅｆｅｒｅｎｃｅ: 呼接続に対してシステム全体で唯一に使われる識別者。
２．Ｃｏｒｒｅｌａｔｉｏｎ ＩＤ: 要求メッセージと応答(Response)メッセージとを相関させる要素。
３．Ｆｒａｍｅ Ｓｅｌｅｃｔｏｒ Ｉｎｆｏ: １つの呼結合体のために使用されるフレームセレクターの集合。１つの呼結合体に新しいフレームセレクターを追加するか、既に存在している呼結合体のフレームセレクターの性質を改める時に使用される。
４．Ａ７ Ｃｅｌｌ Ｉｎｆｏ: 呼結合体のために特別な物理チャネルが追加されるセルの集合に関する情報。
３ｇ段階でのバースト動作アクノリッジメントメッセージ(A7-Burst Activate Ack msg.)の情報要素は＜表４＞のようである。前記バースト動作アクノリッジメントメッセージは、対象基地局システムがソース基地局システムにデータトラフィックバーストを支援するために予約された資源の集合を委任用として伝送するバースト動作メッセージで、Ａ７インターフェースメッセージである。
【表４】
0003734422.tif 000005
【００１７】
１．Ｃａｌｌ Ｃｏｎｎｅｃｔｉｏｎ Ｒｅｆｅｒｅｎｃｅ: 呼接続に対してシステム全体で唯一に使われる識別者。
２．Ｃｏｒｒｅｌａｔｉｏｎ ＩＤ: 要求メッセージと応答(Response)メッセージとを相関させる要素。
３．Ａ７ Ｕｎｃｏｍｍｉｔｅｄ Ｃｅｌｌ Ｉｎｆｏ: １つの呼結合体のための特別な物理チャネルに対象基地局システムが委任しなかったセルの集合に関する情報。
＜表１＞のバースト要求メッセージ(A7-Burst Request msg.)と＜表３＞のバースト動作メッセージ(A7-Burst Active msg.)の内に含まれている'Ｆｒａｍｅ Ｓｅｌｅｃｔｏｒ Ｉｎｆｏ'に対する情報要素フィールドは＜表５＞のようである。
【表５】
0003734422.tif 000006
【００１８】
１．Ｃｏｕｎｔ ｏｆ Ｆｒａｍｅ Ｓｅｌｃｔｏｒｓ: フレームセレクターの数。
２．Ｌｅｎｇｔｈ ｏｆ Ｆｒａｍｅ Ｓｅｌｃｔｏｒ Ｉｎｆｏｒｍａｔｉｏｎ:フレームセレクターのそれぞれのインスタンスに対するフィールドの集合を伝送するために使用されたオクテット(octet)の数。
３．Ｆｒａｍｅ Ｓｅｌｅｃｔｏｒ Ｉｎｄｅｘ: 呼結合体のために使用されているフレームセレクターを示すために唯一に使用される二進数値。
４．Ｐｈｙｓｉｃａｌ Ｃｈａｎｎｅｌ Ｔｙｐｅ: 指定されたフレームセレクターと結合された物理チャネルの形態。＜表６＞ような'Ｐｈｙｓｉｃａｌ Ｃｈａｎｎｅｌ Ｔｙｐｅ'フィールドによる１６進数値。
５．Ｆｒａｍｅ Ｏｆｆｓｅｔ: 与えられたフレームセレクターに対するフレームオフセット。
６．ＡＲＦＣＮ(Actual Radio Frequency Channel Number): 呼結合体に対するバンドクラス(Band Class)と関連した実際無線周波数のチャネル番号。
７．Ｆｏｒｗａｒｄ Ｃｈａｎｎｅｌ Ｂａｎｄｗｉｄｔｈ: フレームセレクターと結合された順方向チャネルの帯域。
８．Ｒｅｖｅｒｓｅ Ｃｈａｎｎｅｌ Ｂａｎｄｗｉｄｔｈ: フレームセレクターと結合された逆方向チャネルの帯域。
【表６】
0003734422.tif 000007
【００１９】
＜表６＞のように、物理チャネルの形態はＩＳ−９５チャネルだけを定義しており、ＣＤＭＡ−２０００規格を移動通信システムに適用する時は、ＩＳ−９５のチャネルとＣＤＭＡ−２０００のチャネルとを混同して、基地局システムにおいてのチャネルの区分ができなくなる問題が発生する。
'Ａ３ Ｔｒａｆｆｉｃ Ｃｈａｎｎｅｌ Ｐｒｏｔｏｃｏｌ Ｓｔａｃｋ'は、与えられたフレームセレクターに添付されたＡ３トラフィックチャネルのために使用されるプロトコルスタック(stack)で、その構成は＜表７＞のようである。
【表７】
0003734422.tif 000008
【００２０】
＜表７＞のように、Ａ３トラフィックチャネルのために使用されるプロトコルスタックで、音声サービスのために使用されるＡＬＬ２(ATM Adaptation Layer2)プロトコルだけが定義されており、高速データには適合でないという問題点がある。
＜表１＞のバースト要求メッセージ(A3-Burst Request msg.)及び＜表２＞のバースト応答メッセージ(A7-Burst Response msg.)に含まれている'Ｂｕｒｓｔ Ｔｉｍｉｎｇ'に対する情報要素は＜表８＞のようである。
【表８】
0003734422.tif 000009
【００２１】
１． Ｂｕｒｓｔ Ａｃｔｉｏｎ Ｔｉｍｅ: データバーストの正確な開始時間。２．Ｂｕｒｓｔ Ｄｕｒａｔｉｏｎ: フレームの数で表現されるバースト期間を示す二進数値。前記二進数値は、ＩＳ−９５のＳＣＨと、ＩＳ−２０００のＩＳ−９５ＢのＳＣＣＨと、の割り当て時間を示す。
前記のように、従来技術を考慮する時、基地局システムとＭＳとの間の無線リンクではなく、基地局システムと基地局システム間で発生する問題点は次のようである。
【００２２】
図３での手順と＜表５＞の'Ｆｒａｍｅ Ｓｅｌｅｃｔｏｒ Ｉｎｆｏ'フィールドとには、ＩＳ−９５Ｂ規格のＦＣＨ、ＳＣＨと、ＣＤＭＡ−２０００規格のＦＣＨ、ＤＣＣＨ、ＳＣＨと、を区別する方案がないので、基地局システムにおいて前記チャネルの区分ができなくなるという問題点が発生する。そして、'Ｔｒａｆｆｉｃ Ｃｈａｎｎｅｌ Ｐｒｏｔｏｃｏｌ Ｓｔａｃｋ'には、音声サービスのために使用されるＡＡＬ２プロトコルだけが定義されていて、高速データの伝送はできない。
また、＜表８＞のバーストタイミングメッセージでは、同時に両方向のＳＣＨまたはＳＣＣＨ上でのデータバーストの期間と開始時間とが支援できない。そして、逆方向のＳＣＨとＳＣＣＨのＤＴＸ時間が提供できないので、基地局システムでの高速パケットサービスが遂行できない。従って、高速大容量のデータが処理できる新たな方案が必要である。
【００２３】
【発明が解決しようとする課題】
本発明の目的は、基地局システム内で送受信されるメッセージの中で、ＩＳ−９５Ｂ規格のＦＣＨ、ＳＣＨを、ＣＤＭＡ−２０００規格のＦＣＨ、ＤＣＣＨ、ＳＣＨと区別する識別者を定義して、ＢＴＳにおいてチャネルの区分ができるようにする方法を提供することにある。
本発明の他の目的は、Ａ３トラフィックチャネルプロトコルスタックフィールドで、高速データを効果的に伝送するＡＬＬ５(ATM Adaptation Layer 5)を提供することにある。
【００２４】
本発明のまた他の目的は、同時に両方向のＳＣＨまたはＳＣＣＨ上でのデータバーストの期間と開始時間とを支援し、逆方向のＳＣＨ、ＳＣＣＨのＤＴＸ時間を提供するように定義されたバーストタイミングメッセージを提供することにある。
本発明のまた他の目的は、順方向と逆方向のバーストタイミングメッセージを１つのメッセージとして定義するか、または、順方向／逆方向を同時だけでなく、ある一方向にも使用できるように、順方向バーストメッセージと逆方向バーストメッセージとに分離して定義し、バーストのスタート時間を多様な単位で表現して、より正確な時間にバースト動作が行えるようにする方法を提供することにある。
【００２５】
【発明を解決するための手段】
前記のような目的を解決するために、本発明は、移動通信システムにおける高速大容量データの伝送のためにバーストタイミングを提供する付加チャネルを設定する方法において、高速大容量データの伝送がある時、ソースＢＴＳは、トラフィックバーストが存在するかを決定し、順方向及び逆方向バーストタイミング情報とチャネル使用時間とを含むバースト要求メッセージを対象ＢＴＳに伝送し、必要な資源の予約のためにＤＴＸモードを考慮して決定されることを特徴とする。それから、前記対象ＢＴＳによって前記トラフィックバーストに委任された資源に対する情報を含むバースト応答メッセージを前記ソースＢＴＳに伝送することを特徴とする。
【００２６】
【発明の実施の形態】
本発明の望ましい実施形態を添付図面を参照して詳細に説明する。下記説明において、本発明の要旨を明確にするために関連した公知機能または構成に対する具体的な説明は省略する。
本発明は、ＢＴＳにおけるチャネルの区分が容易にできるように、基地局システム間で送受信される信号メッセージの内に定義されている'Ｆｒａｍｅ Ｓｅｌｅｃｔｏｒ Ｉｎｆｏ'の情報要素のフィールドに、ＩＳ−９５Ｂ規格のＦＣＨ、ＳＣＨと、ＩＳ−２０００規格のＦＣＨ、ＤＣＣＨ、ＳＣＨと、が区別できる識別フィールド(ID Field)を構成する。前記フレームセレクター情報を含むメッセージは、従来技術でも言及したように、＜表１＞のバースト要求メッセージ及び＜表３＞のバースト動作メッセージなどを含む。
【００２７】
＜表９＞は本発明の望ましい実施形態による、 'Ｆｒａｍｅ Ｓｅｌｅｃｔｏｒ Ｉｎｆｏ'の情報要素の'Ｐｈｙｓｉｃａｌ Ｃｈａｎｎｅｌ Ｔｙｐｅ'フィールドを修正したものである。
【表９】
0003734422.tif 000010
【００２８】
＜表９＞のように、ＩＳ−９５のＦＣＨは０１Ｈに、ＩＳ−９５ＢのＳＣＨは０２Ｈに、ＣＤＭＡ−２０００のＦＣＨは０３Ｈに、ＣＤＭＡ−２０００のＤＣＣＨは０４Ｈに、ＣＤＭＡ−２０００のＳＣＨは０５Ｈに定義される。前記のように、ＩＳ−９５ＢのＦＣＨ、ＳＣＨは、ＩＳ−２０００のＦＣＨ、ＤＣＣＨ、ＳＣＨと区別できる。
高速大容量のデータを伝送するに適合なＡＬＬ５がＡ３トラフィックチャネルプロトコルで支援できるように、＜表５＞の'Ａ３ Ｔｒａｆｆｉｃ Ｃｈａｎｎｅｌ Ｐｒｏｔｏｃｏｌ Ｓｔａｃｋ'フィールドを＜表１０＞のように修正する。
【表１０】
0003734422.tif 000011
【００２９】
本発明は、＜表９＞及び＜表１０＞のようなメッセージフィールドを定義するので、ＢＴＳに、ＩＳ−９５ＢのＦＣＨ、ＳＣＨと、ＣＤＭＡ−２０００のＦＣＨ、ＤＣＣＨ、ＳＣＨと、が区別でき、高速データの伝送ができる。
それから、本発明の望ましい実施形態によって新しいバーストタイミングメッセージを定義する。＜表１１＞のようなバーストタイミングメッセージは、同時に両方向のＦＣＨまたはＳＣＨ上のデータバーストの期間と開始時間とが支援でき、逆方向のＳＣＨとＳＣＣＨのバーストＤＴＸ時間が提供できる。
【表１１】
0003734422.tif 000012
【００３０】
１．Ｌｅｎｇｔｈ: Ｌｅｎｇｔｈフィールドを従う情報要素に対するオクテットの数。
２．Ｆｏｒｗａｒｄ Ｂｕｒｓｔ Ａｃｔｉｏｎ(ｏｒ Ｓｔａｒｔ) Ｔｉｍｅ:   順方向のＳＣＨまたはＳＣＣＨが割り当てられるシステム時間。
３．Ｒｅｖｅｒｓｅ Ｂｕｒｓｔ Ａｃｔｉｏｎ(ｏｒ Ｓｔａｒｔ) Ｔｉｍｅ: 逆方向のＳＣＨまたはＳＣＣＨが割り当てられるシステム時間。
４．Ｆｏｒ＿Ｉｎｆｉｎｉｔｅ＿Ｂｕｒｓｔ＿Ｄｕｒａｔｉｏｎ: 順方向ＳＣＨとＳＣＣＨとが割り当てられる期間を無限大にするか否かを示すフィールド。ＢＴＳがこのフィールドを'１'に設定すると、前記順方向バースト動作時間の以後に８０ｍｓのフレーム数で表現される既決定された時間に順方向のＳＣＨまたはＳＣＣＨが割り当てられる。もし、'０'に設定すると、無限時間に割り当てられる。
５．Ｒｅｖ＿Ｂｕｒｓｔ＿ＤＴＸ＿Ｄｕｒａｔｉｏｎ: ＭＳが、逆方向ＳＣＨまたはＳＣＣＨ上に割り当てられる期間で前記逆方向ＳＣＨまたはＳＣＣＨの伝送を再開する前に、前記伝送を止める２０ｍｓのフレームの最大個数。このフィールドはＢＴＳによって定義される。
【００３１】
６．Ｒｅｖ＿Ｉｎｆｉｎｉｔｅ＿Ｂｕｒｓｔ＿Ｄｕｒａｔｉｏｎ: 逆方向ＳＣＨとＳＣＣＨとが割り当てられる期間を無限大にするか否かを示すフィールド。ＢＴＳがこのフィールドを'１'に設定すると、前記逆方向バースト動作時間の以後に８０ｍｓのフレーム数で表現される既決定された時間に逆方向ＳＣＨとまたはＳＣＣＨが割り当てられる。もし、'０'に設定すると、無限時間に割り当てられる。
７．Ｆｏｒ＿Ｂｕｒｓｔ＿Ｄｕｒａｔｉｏｎ: 順方向ＳＣＨまたはＳＣＣＨが割り当てられる期間で、８０ｍｓが基本単位である。
８．Ｒｅｖ＿Ｂｕｒｓｔ＿Ｄｕｒａｔｉｏｎ: 逆方向ＳＣＨまたはＳＣＣＨが割り当てられる期間で、８０ｍｓが基本単位である。
９．Ｂｅｇｉｎ＿Ｐｒｅａｍｂｌｅ: 逆方向ＳＣＨまたはＳＣＣＨ上で、前記２つのチャネルの伝送を開始する時点に、ＭＳから伝送できるプリアンブルフレームの個数。
１０．Ｒｅｓｕｍｅ_Ｐｒｅａｍｂｌｅ: 逆方向ＳＣＨまたはＳＣＣＨ上で、前記２つのチャネルの再伝送を開始する時点に、ＭＳから伝送できるプリアンブルフレームの個数。
【００３２】
一方、本発明は、＜表１１＞のように順方向及び逆方向のバーストタイミングメッセージを１つのメッセージとして定義するか、または、それぞれ順方向バーストタイミングメッセージと逆方向バーストタイミングメッセージとに区分して定義することができる。
＜表１２＞のように、順方向バーストタイミングメッセージは、順方向データバーストの期間と、開始時間と、開始時間単位と、を提供する。
【表１２】
0003734422.tif 000013
【００３３】
１．Ｌｅｎｇｔｈ: Ｌｅｎｇｔｈフィールドを従う情報要素に対するオクテットの数。
２．Ａｃｔｉｏｎ(ｏｒ Ｓｔａｒｔ)Ｔｉｍｅ Ｕｎｉｔ: 順方向バーストの動作時間単位。ＢＴＳは２０ｍｓフレームより１小さい数でこのフィールドを設定する。
３．Ｆｏｒ＿Ｉｎｆｉｎｉｔｅ＿Ｂｕｒｓｔ＿Ｄｕｒａｔｉｏｎ: 順方向ＳＣＨとＳＣＣＨとが割り当てられる期間を無限大にするか否かを示すフィールド。ＢＴＳがこのフィールドを'１'に設定すると、前記順方向バースト動作時間の以後に８０ｍｓのフレーム数で表現される既決定された時間に順方向のＳＣＨとまたはＳＣＣＨが割り当てられる。もし、'０'に設定すると、無限時間に割り当てられる。
４．Ｆｏｒ_Ｂｕｒｓｔ_Ｄｕｒａｔｉｏｎ: 順方向のＳＣＨまたはＳＣＣＨが割り当てられる期間で、８０ｍｓが基本単位である。
５．Ｆｏｒｗａｒｄ Ｂｕｒｓｔ Ａｃｔｉｏｎ(ｏｒ Ｓｔａｒｔ) Ｔｉｍｅ: 順方向のＳＣＨまたはＳＣＣＨが割り当てられるシステム時間。
＜表１３＞のように、逆方向バーストタイミングメッセージは、逆方向ＳＣＨまたはＳＣＣＨ上におけるデータバーストの期間と、開始時間と、開始時間単位と、を提供する。
【表１３】
0003734422.tif 000014
【００３４】
１．Ｌｅｎｇｔｈ: Ｌｅｎｇｔｈフィールドを従う情報要素に対するオクテットの数。
２．Ａｃｔｉｏｎ(ｏｒ Ｓｔａｒｔ)Ｔｉｍｅ Ｕｎｉｔ: 順方向バーストの動作時間単位。ＢＴＳは２０ｍｓフレームより１小さい数でこのフィールドを設定する。
３．Ｒｅｖ＿Ｂｕｒｓｔ＿ＤＴＸ＿Ｄｕｒａｔｉｏｎ: ＭＳが、逆方向のＳＣＨまたはＳＣＣＨ上に割り当てられる期間に伝送を再開する前に、前記伝送を止める２０ｍｓフレームの最大個数。このフィールドはＢＴＳによって定義される。
４．Ｒｅｖ＿Ｉｎｆｉｎｉｔｅ＿Ｂｕｒｓｔ＿Ｄｕｒａｔｉｏｎ: 逆方向ＳＣＨとＳＣＣＨとが割り当てられる期間を無限大にするか否かを示すフィールド。ＢＴＳがこのフィールドを'１'に設定すると、前記逆方向バースト動作時間の以後に８０ｍｓのフレーム数で表現される既決定された時間に逆方向のＳＣＨとまたはＳＣＣＨが割り当てられる。もし、'０'に設定すると、無限時間に割り当てられる
５．Ｒｅｖ＿Ｂｕｒｓｔ＿Ｄｕｒａｔｉｏｎ: 逆方向のＳＣＨまたはＳＣＣＨが割り当てられる期間で、８０ｍｓが基本単位である。
６．Ｒｅｖｅｒｓｅ Ｂｕｒｓｔ Ａｃｔｉｏｎ(ｏｒ Ｓｔａｒｔ) Ｔｉｍｅ: 逆方向のＳＣＨまたはＳＣＣＨが割り当てられるシステム時間。
７．Ｂｅｇｉｎ_Ｐｒｅａｍｂｌｅ: 逆方向ＳＣＨまたはＳＣＣＨ上で、前記２つのチャネルの伝送を開始する時点に、ＭＳから伝送できるプリアンブルフレームの個数。
８．Ｒｅｓｕｍｅ_Ｐｒｅａｍｂｌｅ: 逆方向ＳＣＨまたはＳＣＣＨ上で、前記２つのチャネルの再伝送を開始する時点に、ＭＳから伝送できるプリアンブルフレームの個数。
【００３５】
図４は、本発明の望ましい実施形態によるバーストタイミングメッセージの受信動作を示したフローチャートである。図４は、＜表１２＞及び＜表１３＞のように順方向／逆方向のバーストタイミングメッセージがそれぞれ分離されて定義された場合の手順を説明している。
図４を参照すると、ＢＴＳは１０１段階で、ＢＳＣから受信されたバーストタイミングメッセージが順方向リンク情報であるか、それとも、逆方向リンク情報であるかを確認する。順方向リンク情報であると、１０２段階でＢＴＳは、受信したバーストタイミングメッセージから'Ａｃｔｉｏｎ Ｔｉｍｅ Ｕｎｉｔ'フィールドを読み出して、ＳＣＨまたはＳＣＣＨが割り当てられる時点に対する動作時間単位を決定する。
【００３６】
それから、１０３段階でＢＴＳは、前記バーストタイミングメッセージから割り当てるバースト期間が無限大に設定されているかを検査する。もし、無限期間に設定されていないと、１０４段階でＢＴＳは、８０ｍｓに基づいて前記メッセージ内の値でバースト期間を設定し、１０５段階で、前記メッセージ内に設定された動作(または、開始)時間に順方向ＳＣＨまたはＳＣＣＨの割り当てを開始する。
１０３段階で、バースト期間が無限期間に設定されている時、１０４−１段階でＢＴＳは、ＳＣＨまたはＳＣＣＨサービスが解除されるか、または、ＭＳの状態が休止状態になるまで、バースト期間が持続できるように設定する。 ここで、前記サービスは、パケット、回線、ＩＳＤＮサービスなどの、ＳＣＨまたはＳＣＣＨ上で提供される全てのサービスを含む。前記バースト期間を設定した後、１０５ａ段階でＢＴＳは、前記メッセージ内に設定された動作(または、開始)時間に順方向ＳＣＨまたはＳＣＣＨの割り当てを開始する。
【００３７】
一方、１０１段階で、ＢＳＣから受信したバーストタイミングメッセージが逆方向リンク情報であると、１０２ａ段階でＢＴＳは、受信したバーストタイミングメッセージから'Ａｃｔｉｏｎ Ｔｉｍｅ Ｕｎｉｔ'フィールドを読み出して、ＳＣＨまたはＳＣＣＨが割り当てられる時点に対する動作時間単位を決定する。
それから、１０３ａ段階でＢＴＳは、前記バーストタイミングメッセージから割り当てるバースト期間が無限大に設定されているかを検査する。もし、無限期間に設定されていないと、１０４ａ段階でＢＴＳは、８０ｍｓに基づいて前記メッセージ内の値でバースト期間を設定する。１０５−１段階でＢＴＳは、最大逆方向'ＤＴＸ_Ｄｕｒａｔｉｏｎ'を読み出して、１０ｍｓに基づいて逆方向ＳＣＨまたはＳＣＣＨの受信器における最大'ＤＴＸ_Ｄｕｒａｔｉｏｎ'を設定する。さらに、ＳＣＨまたはＳＣＣＨが割り当てられる時の'Ｂｅｇｉｎｅ Ｐｒｅａｍｂｌｅ'と'Ｒｅｓｕｍｅ Ｐｒｅａｍｂｌｅ'を設定する。最後に、ＢＴＳは、前記メッセージ内に設定された動作(または、開始)時間に逆方向ＳＣＨまたはＳＣＣＨの割り当てを開始する。
【００３８】
１０３ａ段階で、バースト期間が無限期間に設定されている場合、１０４−１ａ段階でＢＴＳは、バースト期間をＳＣＨまたはＳＣＣＨサービスが解除されるか、ＭＳの状態が休止状態になるまで持続できるように設定する。ここで、前記サービスは、パケット、回線、ＩＳＤＮサービスなどの、ＳＣＨまたはＳＣＣＨ上で提供される全てのサービスを含む。１０５−１ａ段階でＢＴＳは、最大逆方向'ＤＴＸ_Ｄｕｒａｔｉｏｎ'を読み出して、１０ｍｓに基づいて逆方向ＳＣＨまたはＳＣＣＨの受信器においての最大'ＤＴＸ_Ｄｕｒａｔｉｏｎ'を設定する。さらに、ＳＣＨまたはＳＣＣＨが割り当てられる時の'Ｂｅｇｉｎｅ Ｐｒｅａｍｂｌｅ'と'Ｒｅｓｕｍｅ Ｐｒｅａｍｂｌｅ'を設定する。最後に、ＢＴＳは、前記メッセージ内に設定された動作(または、開始)時間に逆方向ＳＣＨまたはＳＣＣＨの割り当てを開始する。
【００３９】
【発明の効果】
前記のように、望ましい実施形態による本発明は、ＢＴＳが物理チャネルを通して高速データバーストを伝送する時、１）Ａ３トラフィックチャネルプロトコルでＡＡＬ５が支援でき、２）ＩＳ−９５Ｂ規格のＦＣＨ、ＳＣＨが、ＣＤＭＡ−２０００規格のＦＣＨ、ＤＣＣＨ、ＳＣＨと区別でき、３）Ａ３インターフェースを通して高速大容量のデータを効果的に伝送することができる。そして、新しいバーストタイミングメッセージの定義によって、ＳＣＨまたはＳＣＣＨ上での順方向／逆方向データバーストの期間と、開始時間と、開始時間単位と、を提供することによって、より正確にバースト動作時間を指定することができる。また、逆方向ＤＴＸ期間を提供して、両方向高速パケットデータが支援できる。
一方、前記本発明の詳細な説明では具体的な実施形態に上げて説明してきたが、本発明の範囲内で様々な変形が可能であるということは勿論である。従って、本発明の範囲は前記実施形態によって限られてはいけなく、特許請求の範囲とそれに均等なものによって定められるべきである。
【図面の簡単な説明】
【図１】  通常的なパケットサービスのための移動通信システムの状態遷移図。
【図２】  通常的な移動通信システムで、ＭＳＣと基地局システムとの間、基地局システムと基地局システムとの間のディジタルエアインターフェースに対する３Ｇ ＩＯＳの参照モデルを示した図。
【図３】  従来技術によるソース基地局システムと対象基地局システムとの間にＳＣＨを設定する手順を示した図。
【図４】  本発明実施形態によるバーストタイミングメッセージの受信動作の手順を示したフローチャート。
【符号の説明】
１０…初期化状態
１１…データ伝送状態
１２…制御維持状態
１３…待機状態
１４…休止状態
１５…パケット無効状態
【図１】
0003734422.tif 000015
【図２】
0003734422.tif 000016
【図３】
0003734422.tif 000017
【図４】
0003734422.tif 000018